(57)【要約】【課題】  本発明は、白粉、パウダーファンデーションなどの粉状化粧料を収容する粉状化粧料容器にあって未使用の粉状化粧料容器内の粉状化粧料が漏出しないように軟弾性の仕切り部上に添接するバージンシールに関する。【解決手段】  バージンシールが化粧料収納室の開口部に対応した形状をなすと共に仕切り部固定部材と仕切り部との間で均一に浅く挟持固定され、軟弾性の仕切り部からの粉状化粧料の漏出を防止する漏出防止部と、漏出防止部の外方に帯状に長く引き出されると共に漏出防止部の表面中心側に折り曲げられ指先で引っ張れるようよう形成されたつまみ部と、漏出防止部の外周に膨出し前記仕切り部固定部材に深く挟持される複数の膨出部と、膨出部と前記漏出防止部との間を滑らか結び、急な変曲点となるキックポイントをなくする円滑接続部とより構成され、仕切り部固定部材より引き裂けなしに除去可能にする【選択図】図１
2010075572.tif 000002
【特許請求の範囲】
【請求項１】
粉状化粧料を収納する化粧料収納室の開口部に複数の切れ込みを有する軟弾性の仕切り部および該軟弾性の仕切り部の外面にパラフィン紙やプラスチックフィルム等伸縮のないシールを添接し、化粧料収納室の開口部との間に仕切り部固定部材で挟持する粉状化粧料容器において、
前記シールが、
化粧料収納室の開口部に対応した形状をなすと共に仕切り部固定部材と仕切り部との間で均一に浅く挟持固定され、前記軟弾性の仕切り部からの粉状化粧料の漏出を防止する漏出防止部と、
該漏出防止部の外方に帯状に長く引き出されると共に漏出防止部の表面中心側に折り曲げられ指先で引っ張れるようよう形成されたつまみ部と、
漏出防止部の外周に膨出し前記仕切り部固定部材に深く挟持される複数の膨出部と、
該膨出部と前記漏出防止部との間を滑らか結ぶ円滑接続部とより構成され、
シールを仕切り部固定部材より引き裂けなしに除去できるようにしたことを特徴とする粉状化粧料容器。
【請求項２】
前記漏出防止部が円形であり、
前記膨出部が円形の漏出防止部に交わると共に漏出防止部の外方に近接した位置で交差する一対の交線で略三角形に形成されることを特徴とする請求項１記載の粉状化粧料容器。
【請求項３】
前記漏出防止部が円形であり、
前記膨出部が円形の漏出防止部に滑らかに交差すると共に漏出防止部の外方に近接する位置で交差する一対の交線を脚とし略台形に形成されることを特徴とする請求項１記載の粉状化粧料容器。
【請求項４】
一対の交線のうちつまみ部に近接した一方が前記漏出防止部の接線であることを特徴とする請求項１、請求項２記載の粉状化粧料容器。
【発明の詳細な説明】
【技術分野】
【０００１】
本発明は、粉状化粧料を収容する粉状化粧料容器に関し、より詳しくは開閉する切れ込みを有し粉状化粧料の取り出しを調整する軟弾性の仕切り部上に添接して粉状化粧料の出入りを防止することで粉状化粧料容器内の内容量、品質を保証するバージンシールに関する。
【背景技術】
【０００２】
白粉、パウダーファンデーションなどの粉状化粧料をパウダーパフに取って使用するコンパクト容器等が知られている。従来のコンパクト容器は網状フィルターや複数の粉取り出し穴を設けた仕切り部にパウダーパフを載置してコンパクト容器を傾けるなどしてパウダーパフ等に少量の粉状化粧料を取り出して使用するものである。
【０００３】
そのため網状フィルターや小径の粉取り出し穴を有する仕切り部を設けた粉状化粧料容器では容器を不用意に振ったり傾けたりすると粉状化粧料を仕切り部上に流出してしまう。こうした不具合をなくすために仕切り部の外面側に繰り返し使用可能に弾性のあるプラスチックで形成された密閉蓋を嵌合させたり化粧料収納室の開口部にパラフィン紙等からなるバージンシールを貼着したりして粉状化粧料の不用意な漏出を防止していた。
【０００４】
しかし、繰り返し使用可能な密閉蓋は使用に際し粉状化粧料容器への取り付け取り外しの手間が必要になる。さらに密閉蓋の取り付け取り外し操作でも密閉蓋の裏面に付着する粉状化粧料のために周囲を汚してしまう。またバージンシールは破くことで粉状化粧料容器内の粉状化粧料を取り出せるようにするため、一部は化粧料収納室の開口部に貼着されたまま取り残されてしまうといった不具合があった。
【０００５】
こうした問題を解決する手段として、粉状化粧料を取り出す開口部にかけて僅か入り込む切れ目を設け、つまみ部を引っ張ることで切れ目から容易に裂けるようにされたバージンシールを仕切り部の外面に添接あるいは貼着する粉状化粧料容器が特許文献１で提案されている。
【０００６】
【特許文献１】特願２００７−１２１２１６
【０００７】
特許文献１には粉状化粧料を収納する化粧料収納室の開口部位置に複数の切れ込みを有する軟弾性の仕切り部を形成し、粉状化粧料の不用意な漏出を防止する粉状化粧料容器が記載されている。さらに仕切り部の上面に添接あるいは貼着されるシールが記載されている。このシールはつまみ部の幅で開口部にかかるまで延長される切れ目を形成し、つまみ部を引くことにより切れ目から容易に破け、除去できるようにされている。
【発明の開示】
【発明が解決しようとする課題】
【０００８】
特許文献１で用いられるシールは商品の未使用を確認し、内容物の量、品質を保証すると共に粉状化粧料の軟弾性の仕切り部からの不用意な漏出を防止するバージンシールとなる。
【０００９】
粉状化粧料の初使用にあたりバージンシールは軟弾性の仕切り部の外面より取り除かれる。特許文献１にて説明されるシールはパラフィン紙等の防湿紙で構成され、仕切り部の上面を覆う被覆部とつまみ部との境界近傍の被覆部につまみ部の幅を延長する切れ目を形成している。そこでつまみ部を上方に引くことによりシールが切れ目に沿って容易に破け、除去できるようにされる。
【００１０】
つまみ部を指先で引っ張りシールを除去する場合、フィルムを破く操作が単純で余計な皺を発生しない。反面、開口部周囲に取れ残りが生じ、化粧準備段階であるにもかかわらず挟持部と軟弾性の仕切り部の間に残るフィルム小片を除くために手間がかかることがあった。
【００１１】
またつまみ部を指先で破かずに引き抜く場合にはシールの素材を裂けに強い樹脂フィルムにする必要があった。裂けに強い樹脂フィルムは量産性、見た目の良さなどから二軸延伸したＰＥＴフィルムが広く利用される。しかし、このＰＥＴフィルムは二軸延伸されることにより引っ張り強度が増大するがフィルムの縁に切り口のような隅部や急に向きの変化する不連続な線で結ばれる凹部等からなるキックポイントがあると応力が集中し引き裂け易くなるといった問題点がある。
【００１２】
本発明はこのような問題点に鑑みてなされたものである。そしてその目的とするところは、粉状化粧料を収納する化粧料収納室の開口部に複数の切れ込みを有する軟弾性の仕切り部を有する粉状化粧料容器であって、未使用の粉状化粧料の漏出を防止すると共に内容物の量、品質を保証するシールに関し、つまみ部を指先で引っ張ることで一度に取り除くことができ化粧前の手間をかけずに化粧作業にかかれる粉状化粧料容器を提供しようとするものである。
【課題を解決するための手段】
【００１３】
本発明粉状化粧料容器は、上記目的を達成するため粉状化粧料を収納する化粧料収納室の開口部に複数の切れ込みを有する軟弾性の仕切り部および軟弾性の仕切り部の外面にパラフィン紙やプラスチックフィルム等伸縮のないシールを添接し、化粧料収納室の開口部との間に仕切り部固定部材で挟持するものである。
【００１４】
更にはシールが、化粧料収納室の開口部に対応した形状をなすと共に仕切り部固定部材と仕切り部との間で均一に浅く挟持固定され、軟弾性の仕切り部からの粉状化粧料の漏出を防止する漏出防止部と、漏出防止部の外方に帯状に長く引き出されると共に漏出防止部の表面中心側に折り曲げられ指先で引っ張れるようよう形成されたつまみ部と、漏出防止部の外周に膨出し仕切り部固定部材に深く挟持される複数の膨出部と、膨出部と漏出防止部との間を滑らか結ぶ円滑接続部とより構成されシールを仕切り部固定部材より引き裂けなしに除去できるようにするものである。
【００１５】
また漏出防止部が円形であり、膨出部が円形の漏出防止部に交わると共に漏出防止部の外方に近接した位置で交差する一対の交線で略三角形に形成されるものである。
【００１６】
また漏出防止部が円形であり、膨出部が円形の漏出防止部に滑らかに交差すると共に漏出防止部の外方に近接する位置で交差する一対の交線を脚とし略台形に形成されることも良い。
【００１７】
さらには、膨出部の略三角形、略台形を形成する交線のつまみ部に近接した一方が漏出防止部の接線であることも良い。
【００１８】
また漏出防止部の円形の意味は楕円、長円も含むものである。さらに円の中心とは楕円、長円の場合には長径、短径の直交位置であり、より一般的には二分された二領域を等しくする任意の二中心線の交点で面積中心を意味する。
【発明の効果】
【００１９】
本発明粉状化粧料容器にあっては次に記載する効果を奏する。すなわち軟弾性の仕切り部は長さ数ミリメートル程度にカッティングされた複数の切れ込みを設けている。切れ込みはパフ等のアプリケータで押圧される仕切り部の位置を中心に弾性的に伸長され開穴する。また仕切り部の押圧を解除すると開穴されていた切れ込みは弾性的に元の形状に復元され閉穴する。閉穴した切れ込みは粉状化粧料の移動を阻止する。そのため粉状化粧料が不用意に取り出されることはなくなり、外蓋の開閉操作等で飛散されない。
【００２０】
シールはパラフィン紙やプラスチックフィルム等伸縮のないフィルムからなり未開封の粉状化粧料容器における軟弾性の仕切り部の外面に添接される。シールの添接は軟弾性の仕切り部の伸びを抑え未開封の粉状化粧料容器に強い振動や衝撃が加わった場合でも切れ込みが不用意に開穴することを防止する。
【００２１】
また仕切り部固定部材と仕切り部との間に隙間はないことから一度取り除かれたシールは密着する仕切り部と仕切り部固定部材の挟持部のため均一に再添接ができない。そのためシールは商品の未開封、未使用を確認できると共に内容物の量、品質を保証するバージンシールとしての役割をもつ。
【００２２】
さらにシールには外周に複数の膨出部が形成され、仕切り部固定部材に深く挟持されることで、搬送時等に粉状化粧料が撹乱し軟弾性の仕切り部側より押圧された場合の抜落を防止する。他方シールの表面側に折り返されるつまみ部は仕切り部上面から指先で摘み引っ張れるようにしたもので、シールを仕切り部の外面から容易に除去可能にする。
【００２３】
またシールを構成する漏出防止部の外郭線と膨出部の膨出端とを滑らかに結び形成される円滑接続部は、シールの引き抜き時の漏出防止部と膨出部の間で折れ目、皺の発生を抑え、シールを軟弾性の仕切り部の外面より引き裂くことなく一動作で除去できるなどの効果がある。
【発明を実施するための最良の形態】
【００２４】
図１は本発明粉状化粧料容器の断面説明図である。図において粉状化粧料容器１は中央に粉状化粧料１００を収容できるよう上部を開口する有底状の化粧料収納室１１を有し、上端に平滑な上縁１３を形成している。シリコンゴム等の軟弾性材料で構成される仕切り部５および仕切り部５の上面に添接されるシール７は化粧料収納室１１の開口部９１を封口する。シール７はパラフィン紙やプラスチックフィルム等伸縮のないフィルム等で形成される。伸縮のないシール７の仕切り部５への添接は未開封の粉状化粧料容器に強い振動や衝撃が加わった場合でもシール７仕切り部５の伸びを抑え切れ込み５１が不用意に開穴することを防止する。
【００２５】
仕切り部固定部材９は上部中央に開口部９１および開口部９１に隣接する外周下面に挟持部９３、側部に構成される固定部９５より構成されている。仕切り部５およびシール７は挟持部９３と化粧料収納室１１の上端に形成される上縁１３との間で挟持されている。
【００２６】
シール７を開口部９１側より取り除くことにより仕切り部５に長さ数ミリメートル程度にカッティングされた切れ込み５１が露出される。仕切り部５は粉状化粧料容器１の開口側の上縁１３を収納室嵌合部５７で被覆し位置決めされる。そこで仕切り部５の外面５３中央をパフ等のアプリケータで押圧すると仕切り部５は化粧料収容室１１に向け伸長し切れ込み５１を開穴する。開穴された切れ込み５１は粉状化粧料１００を仕切り部５の外面５３上に取り出し可能にする。反対に仕切り部５はアプリケータの押圧力を解除されて復元し切れ込み５１を閉穴する。従って切れ込み５１は、携帯時など非使用時などアプリケータから仕切り部５の外面５３に強い押圧力が加わらない状態においては完全に閉穴され化粧料収容室１１と仕切り部５の外面５３側とを隔離し粉状化粧料１００の移動を阻止する。そのため粉状化粧料１００が不用意に取り出されることはなくなり、図示されていないが外蓋を開閉する場合等で不用意に飛散されない。
【００２７】
挟持部当接突起５９は仕切り部５の上面外周に設けられ、シール７を挟持部当接突起５９の内周に設定し位置決めし易くする。仕切り部５の外面５３に位置決めされたシール７は固定部９５を介し本体１に固着する仕切り部固定部材９の挟持部９３に圧接される。仕切り部５の外面５３と仕切り部固定部材９とを密着する構造は一度取り除かれたシールの再添接を困難にし、シール７は商品の未開封、未使用を確認すると共に内容物の量、品質を保証するバージンシールとしての役割をもつ。尚図１において挟持部当接突起５９は仕切り部５に形成されているが仕切り部５を狭持する挟持部９３の側に設けられても良い。
【００２８】
図２は仕切り部の切れ込み説明図である。仕切り部５には任意の中心線に交差する複数の切れ込み５１が形成されている。切れ込み５１は図１に示される仕切り部５の外面５３と内面５５を通ずるスリットで、仕切り部５の中心近傍に向く伸長に応じ開穴し、粉状化粧料１００を切れ込み５１の外面５３へ取り出せるようにする。尚、切れ込み５１の配置、向きは図２に示すような同心円に配置することに限定されるものではなく仕切り部５の中心から渦巻状あるいは星形状に配置することも良い。さらに切れ込みの向きは仕切り部５の伸長方向に交差する範囲で任意に選択することも良い。またこれら仕切り部５の配置、向きを含め仕切り部５の平面形状を多角形等にすることも良い。
【００２９】
図３は本発明に係るシールの第１の実施例説明図で図３（Ａ）はシール７の展開図、図３（Ｂ）はつまみ部７９をシール表面７６側に折り曲げたシール７を示す。
【００３０】
漏出防止部７１
漏出防止部７１は図１および図２に示される仕切り部５に形成される全ての切れ込み５１を外面５３側から覆うと共に、挟持部９３に浅く挟持される。記号７２は膨出部７４Ａおよびつまみ部７９を漏出防止部７１と判別できるように便宜上二点鎖線で示した漏出防止部外周で化粧料収納室１１の内面より僅か大きく上縁１３と仕切り部固定部材９の挟持部９３との間で浅く挟持されるよう大きさを決定される。
【００３１】
図３（Ｂ）に示されるとおり漏出防止部７１の上方には細長いつまみ部７９、漏出防止部７１の外周左右と下方には略三角形の膨出部７４Ａがそれぞれ設けられている。漏出防止部７１は円形であり、膨出部７４Ａは漏出防止部外周７２に接する一対の接線により略三角形に突出し挟持部９３下で深く挟持され挟持面積を大きくする。そのため漏出防止部７１に加えて大きな挟持面積を形成する膨出部７４Ａは漏出防止部７１の挟持力を上下左右での挟持面積の比をほぼ同一にし、シール７の設定位置の誤差に起因する挟持力を大きくすると共に上下左右でのばらつきを小さくする。従って漏出防止部７１と挟持部９３化粧料収納室１１内の粉状化粧料１００の撹乱、シール７上にパフを載置する程度の僅かな押圧力では漏出防止部７１の設定位置が僅かずれて組立てられた場合であっても抜けやずれが生じに難くなる。さらに仕切り部固定部材９に深く挟持されることで、搬送時等に粉状化粧料１００が撹乱し軟弾性の仕切り部５側より押圧された場合の抜落を防止する。尚略三角形に突出する膨出部７４Ａは先端を挟持部当接突起５９の内側に近接する大きさとすることで挟持部当接突起５９と膨出部７４Ａの先端でシール７の位置決めを行える。
【００３２】
つまみ部７９は手指で摘んで引っ張れるよう仕切り部５の外周上方に帯状に伸びるように形成され漏出防止部外周７２を膨出部７４Ａと同様な接線で滑らかに結んでいる。またつまみ部７９は図３（Ｂ）に示されるように漏出防止部７１の外周に沿った線を基準にシール表面７６側に折り曲げられる。仕切り部５上に添接されたシール７はつまみ部７９を矢印Ａ方向に引くことによりシール７を仕切り部５の外面から容易に除去可能にする。
【００３３】
シール７には量産性、見た目の良さなどからＰＥＴフィルムが多く利用されている。このＰＥＴフィルムは二軸延伸され通常使用では強度も充分である。しかし、シール７の外郭線が切欠、傷、あるいは急に立ち上がるコーナー部等からなるキックポイントに引き抜き力が集中し引き裂き要因となる。引き抜き力の集中を防ぐため図３では引き抜き力を分散するために膨出部７４Ａを一対からなる漏出防止部外周７２の接線で形成している。
【００３４】
尚、図３では膨出部７４Ａを一対からなる漏出防止部外周７２の接線で脚を形成し説明を加えてきたが、膨出部が円形の漏出防止部に小さな角度で滑らかに交わる線で脚を形成しても引き裂き力の大きくなるようなキックポイントをなくすことができる。
【００３５】
図４は本発明に係るシールの第２の実施例説明図で図３（Ａ）と同様展開図を示す。以下図において第１図、第２図、第３図と同一記号は同一名称を示すことから重複する説明は省略する。
【００３６】
漏出防止部７１は図３と同様に円形である。漏出防止部７１の外周左右と下方には一対の直線を脚とする略台形の膨出部７４Ｂ、７４Ｃが設けられている。
【００３７】
脚７５Ａ、７５Ｂは漏出防止部外周７２の接線で円滑接続部７３を形成する。円滑接続部７３はシール７を構成する漏出防止部７１と膨出部７４Ｂの外周端とを結び、つまみ部７９と漏出防止部７１との間は滑らかな円弧で結んでいる。そのため漏出防止部７１と膨出部７４Ｂの間で折れ目、皺の発生を抑え引き裂き力の大きくなるようなキックポイントをなくすることができ、シール７を仕切り部５の外面より引き裂くことなく除去できる。膨出部７４Ｃについても同様である。
【００３８】
また、略台形に突出する膨出部７４Ｂ、７４Ｃは台形の上底に該当する外周を図１に示した挟持部当接突起５９の内側から近接する大きさとすることで挟持部当接突起５９と膨出部７４Ａの先端でシール７の位置決めを行える。
【００３９】
以上図４の説明では脚７５Ａ、７５Ｂを漏出防止部外周７２の接線としているが、漏出防止部外周７２に滑らかに交差させることでも引き裂き力を分散できる。即ち脚７５Ａ，７５Ｂと漏出防止部外周７２とを例えば半径２ｍｍ以上の円弧で滑らかに結ぶことでも引き裂き力を分散し、引き裂き力の大きなキックポイントをなくしシール７を仕切り部５の外面より引き裂くことなく除去できる。
【００４０】
図５は本発明に係るシールの第３の実施例説明図で図３（Ａ）、図４と同様展開図を示す。図５に記載された漏出防止部７１は図３、図４と同様に円形で、漏出防止部７１の外周左右と下方には漏出防止部７１と一対の直線を脚とした略台形の膨出部７４Ｂ、７４Ｃが設けられている。
【００４１】
図５において脚７５Ａは膨出部７４Ｂのつまみ部７９に近い側に位置し、漏出防止部外周７２の接線で円滑接続部７３を形成する。円滑接続部７３はシール７を構成する漏出防止部７１と膨出部７４Ｂの外周端とを滑らかに結んでいる。そのため漏出防止部７１と膨出部７４Ｂの間で集中した折れ目、皺の発生をなくし、シール７を軟弾性の仕切り部５の外面より引き裂くことなく除去できる。さらにつまみ部７９と漏出防止部７１との間は滑らかな円弧で結ばれ引き裂き力の大きくなるようなキックポイントをなくしていることから引き裂きなくシール７を取り除くことができる。
【００４２】
また漏出防止部７１の外周左右に設けられ膨出部７４Ｂを形成する脚７５Ｂは脚７５Ａに対向する位置関係にあり膨出部７４Ｂから外郭線７８へ引き抜きが移行される部分にあたる。そのためシール７の引き抜き力は小さくキックポイントにかかる引き裂き力も小さくなる。引き裂き力の小さいシール７の部分はキックポイントの引き裂きにかかる安全率も向上し膨出部７４Ｂと外郭線７８を小さな径の曲線で結び引き裂き力の小さな形状も選択可能となる。
【００４３】
上記説明では円形の漏出防止部７１で説明しているが、漏出防止部７１の形状は楕円形や化粧料収納室の開口部に対応する多角形であっても良い。特に多角形である場合、膨出部の形状を漏出防止部７１に外接する円形であることも良い。
【００４４】
以上説明のとおり、仕切り部５の外面５３側に添接されるシール７は仕切り部５を補強し、シール７のシール表面７６側からパフの押さえ、シール裏面７７側から化粧料１００の暴れによる押圧力を受け仕切り部５の伸縮を抑える。仕切り部５の伸縮を抑えることは仕切り部５に形成された切り込み５１を搬送時の振動でも閉穴状態を維持することができる。そのためシール７と仕切り部５の間に粉状化粧料１００が漏れ出す原因がなくなり初使いでシール７を除去する際に粉状化粧料が飛散し周辺を汚してしまうといった不具合がなくなる。さらにシール７は内容物が未使用状態であることを保障する役割を果たすことが出来る。
【００４５】
また本発明粉状化粧料容器にあっては発明の効果の欄に記載する効果を有する。なお本発明について図面に示した特定の実施の形態をもって説明してきたが、本発明は図面に示したこれらの実施の形態に限定されるものではなく、各種キャップ、筐体の装着やパフなどのアプリケータなどの収納を妨げるものではない。また本発明では固定部９５のない略平面状の仕切り部５でも上縁１３の外周側に係合する僅かな突起を形成する形状も広義には有天筒状である。そして同形状でも仕切り部材を化粧料収納室の外側部よりずれないようにできることは言うまでもないことである。
【図面の簡単な説明】
【００４６】
【図１】本発明粉状化粧料容器の断面説明図である。
【図２】仕切り部の切れ込み説明図である。
【図３】本発明に係るシールの第１の実施例説明図である。
【図４】本発明に係るシールの第２の実施例展開説明図である。
【図５】本発明に係るシールの第３の実施例展開説明図である。
【符号の説明】
【００４７】
１・・・・ 粉状化粧料容器
５・・・・仕切り部
７・・・・シール
９・・・・仕切り部固定部材
１１・・・化粧料収容室
１３・・・上縁
５１・・・切れ込み
５３・・・外面
５５・・・内面
５７・・・収納室嵌合部
５９・・・挟持部当接突起
７１・・・漏出防止部
７２・・・漏出防止部外周
７３・・・円滑接続部
７４・・・膨出部
７５・・・脚
７６・・・シール表面
７７・・・シール裏面
７８・・・外郭線
７９・・・つまみ部
９１・・・開口部
９３・・・挟持部
９５・・・固定部
１００・・粉状化粧料  
【図１】
2010075572.tif 000003
【図２】
2010075572.tif 000004
【図３】
2010075572.tif 000005
【図４】
2010075572.tif 000006
【図５】
2010075572.tif 000007